(57)【要約】【課題】手持ち式工具装置のコンパクトで軽量な構造形態を維持しつつ，使用者が補助グリップ等を必要とせずに両手で十分な押圧力を及ぼすことを可能とする。【解決手段】手持ち式工具装置（10）は，工具（18）を作動軸線（17）上に固定するための工具ホルダ（14）を含み，ハウジング（11）に，使用者が工具装置を保持するための握り領域を有する。この握り領域は，作動軸線（17）に沿うガイド面（24）に，使用者の片手の親指と人差し指をかけるための指かけ部（22）と，ガイド面（22）の一側で把持するグリップ（25）を備えている。握り領域は，使用者がもう一方の手をあてがうために，工具ホルダ（14）から離れた背面側で，ガイド面（24）に関してグリップ（25）とは反対側に配置された押圧面（31）が設けられている。この押圧面（31）は，ガイド面（24）に対して80°〜100°の角度で傾斜している【選択図】図１
2011183546.tif 000002
【特許請求の範囲】
【請求項１】
ハウジング（11）と，ハウジング（11）の先端側に配置され，工具（18）を作動軸線（17）に沿って保持するための工具ホルダ（14）と，工具装置（10）を使用者が何れか一方の手で把持するための握り領域とを含む手持ち式の工具装置（10）であって，該握り領域が，
作動軸線（17）に沿うガイド面上（24）に親指と人差し指のための指かけ部（22）を有すると共に，前記ガイド面（24）の片側に配置されたグリップ（25）と，
使用者が他方の手をあてがうために，工具ホルダ（14）から離れた背面側で，前記ガイド面（24）に関して前記グリップ（25）とは反対側に配置され，前記案内面（24）に対して80°〜100°の角度で傾斜している押圧面（31）とを含むことを特徴とする工具装置。
【請求項２】
請求項１に記載の装置において，前記押圧面（31）は，前記ガイド面（24）に対して垂直方向に少なくとも1.2cmの寸法を有していることを特徴とする工具装置。
【請求項３】
請求項１又は２に記載の装置において，前記指かけ部（22）は，前記ハウジング（11）を凹ませて形成されていることを特徴とする工具装置。
【請求項４】
請求項１〜３の何れか一項に記載の装置において，前記指かけ部（22）は，前記ハウジング（11）の背面部（21）にグリップ凹部（34）を有し，該グリップ凹部（34）の最深部が，前記ガイド面（24）内に配置されていることを特徴とする工具装置。
【発明の詳細な説明】
【技術分野】
【０００１】
本発明は，電動ドライバ等の手持ち式工具装置に関するものである。
【背景技術】
【０００２】
電動ドライバは，通常の使用状況において，片手のみで操作することができる。使用者が及ぼすべきトルクや押圧力は，原則的に低レベルである。したがって，ピストルにおけると同様のグリップだけでトルクや押圧力を十分に及ぼすことができ，これによりコンパクトで軽量な構造形態の電動ドライバを実現することができる。板材をねじ固定する場合など，高い押圧力が要求される使用状況下では，例えば工具ホルダの近傍に補助グリップを取り付けて電動ドライバを，もう一方の手でも保持する。このような構成の電動ドライバは，例えば本出願人のウェブサイト：http://www.hilti.co.jp/holjp/ （非特許文献１）において開示されている。
【先行技術文献】
【非特許文献】
【０００３】
【非特許文献１】本出願人のウェブサイト：http://www.hilti.co.jp/holjp/
【発明の開示】
【発明が解決しようとする課題】
【０００４】
本発明の課題は，手持ち式工具装置のコンパクトで軽量な構造形態を維持しつつ，使用者が補助グリップ等を必要とせずに両手で十分な押圧力を及ぼすことを可能とすることである。
【課題を解決するための手段】
【０００５】
本発明による手持ち式工具装置，例えば電動ドライバは，ハウジングと，ハウジングの先端側に配置され，工具を作動軸線に沿って保持するための工具ホルダと，工具装置を使用者が何れか一方の手で把持するための握り領域とを含むものである。本発明において，握り領域は，作動軸線に沿うガイド面上に親指と人差し指のための指かけ部を有すると共に，ガイド面の片側に配置されたグリップと，使用者が他方の手をあてがうために，工具ホルダから離れた背面側で，ガイド面に関してグリップとは反対側に配置され，ガイド面に対して80°〜100°の角度で傾斜している押圧面とを含んでいる。
【０００６】
工具ホルダから離れた背面側で，ガイド面に関してグリップとは反対側に配置された押圧面は，使用者が工具に更なる押圧力を及ぼすことを可能とする。そのためには，例えば他方の手の母指を，押圧面に押し当てるものである。親指から人差し指までの手の表面領域よりも，母指球を使用した方がより大きな力を作用させることができる。それにも関わらず，驚くべきことに，作動軸線方向に変位させた押圧面の配置，および作動軸線に沿うガイド面のグリップ領域が，長時間にわたる電動ドライバの使用においては人間工学的により望ましいことが，実験的に明らかになった。上述した角度の傾斜により，工具装置からの手の滑りや，一方の手に対する他方の手ドの滑りが防止される。
【０００７】
本発明の一実施形態において，押圧面は，前記ガイド面に対して垂直方向に少なくとも1.2 cmの寸法を有している。
【０００８】
本発明の他の実施形態において，親指と人差し指を対象とする指かけ領域は，ハウジングを凹ませて形成されている。
【図面の簡単な説明】
【０００９】
【図１】本発明に係る電動ドライバの側面図である。
【図２】同じく，その背面図である。
【発明を実施するための形態】
【００１０】
以下，好適な実施形態および図面に基づき，本発明を詳述する。
【００１１】
図１および図２は，本発明に係る手持ち式工具装置の一例としての電動ドライバ10を示すものである。電動ドライバ10は，側面形状がアングル形状とされたハウジング11を有し，ハウジング11内ではモータ12が動力伝達系13を介して工具ホルダ14に結合されている。動力伝達系13は，例えば，少なくとも各一個の軸，歯車，過負荷クラッチ，接線方向の打撃機構等の構成要素を備えることができる。電動ドライバ10に対する電力供給，より具体的にはモータ12に対する電力供給はバッテリー15が司る。バッテリー15は，ハウジング11の底部に着脱可能に固定されている。
【００１２】
工具ホルダ14は，電動ドライバ10の作動軸線17に対して工具18の中心軸線を一致させた状態で工具18を保持するものである。使用者が作動軸線17に沿って押圧力を及ぼすと，ねじが非加工材に締結される。
【００１３】
ハウジング11は，作動軸線17を含む垂直な対称面20に対してほぼ鏡面対称的に構成されている。そのため，使用者は電動ドライバ10を，左手でも右手でも等しく操作することができる。
【００１４】
使用者は，電動ドライバ10を操作する側の手を，ハウジング11における工具ホルダ14とは反対側に位置する背面部21に添える。これにより，その手の親指と人差し指は，対称面20の両側に位置するハウジング11の両側面部における指かけ部22に接触する。指かけ部22は，ハウジング11の背面部21から工具ホルダ14に向けて延在することによりハウジング11を略Ｕ字状に包囲する二つの保持部23を備えている。保持部23は，作動軸線17が含まれると共に，対称面20に対して垂直に延在するガイド面24を規定するものである。指かけ部22における保持部23は，平均的な人差し指とほぼ等しい長さを有している。
【００１５】
アングル形状のハウジング11は，作動軸線17に対して傾斜したグリップ25を有している。グリップ25の長手方向軸線27が作動軸線17に対してなす傾斜角度26は，70°〜90°の範囲内で設定することができる。グリップ25は，指かけ部22における保持部23と共に電動ドライバ10の握り領域28を構成している。電動ドライバ10を操作する側の手における親指および人差し指以外の指により，グリップ25を把持することが可能である。工具ホルダ14側に位置するグリップ25の前面部29には，電動ドライバ10のモータ12をオン・オフ操作するための電源スイッチ30が配置されている。したがって，使用者は電源スイッチ30を，親指および人差し指以外の指で操作することが可能である。
【００１６】
ハウジング11の背面部21には，もう一方の手を添えるための押圧部31が設けられている。押圧部31は，ガイド面24に関してグリップ25とは反対側に位置するように，グリップ25の延長部として設けられている。接触面31は垂直方向に延在し，または作動軸線17に対して80°〜100°の角度の傾斜で延在している。後者の場合，作動軸線17に対する押圧部31の傾斜角度32は，グリップ25の傾斜角度26よりも90°に近づけるのが好適である。さらに，押圧部31の高さ33，すなわち，ガイド面24に対して垂直に測った寸法は，1.2 cm〜2.0 cmの間で設定するのが好適である。
【００１７】
好適には，背面部21における保持部23に，作動軸線17方向に向けて凹ませたグリップ凹部34を形成する。この場合，作動軸線17方向に見て工具ホルダ14に最も近接するグリップ凹部34の箇所を，作動軸線17が通過する箇所と一致させる。これにより使用者は，特に意識することなく，親指から人差し指にかけての手の表面部位をグリップ凹部34に自然にあてがい，その表面部位から押圧力を作動軸線17上に自然に作用させることが可能である。
【００１８】
電動ドライバ10を操作する側の手の親指および人差し指を対象とする指かけ部22は，ハウジング11内に凹ませて形成することができる。これは，人間工学的に望ましい姿勢の下で，電動ドライバ10をより容易に把持可能とするためである。ハウジング11に設けた指かけ部22は保持部23に沿って長溝状の凹所35を形成し，これらの凹所35は，例えば作動軸線17に向けて0.5 cm〜１cmの深さとされている。凹所35の幅，すなわちガイド面24に対して垂直に測った寸法は，平均的な親指の幅に相当する。
【符号の説明】
【００１９】
10      電動ドライバ
11      ハウジング
12      モータ
13      動力伝達系
14      工具ホルダ
15      バッテリー
16      底部
17      作動軸線
18      工具
20      対称面
21      背面部
22      指かけ部
23      保持部
24      ガイド面
25      グリップ
26      傾斜角度
27      長手方向軸線
28      握り領域
29      前面部
30      電源スイッチ
31      押圧部
32      傾斜角度
33      高さ
34      グリップ凹部
35      凹所
【図１】
2011183546.tif 000003
【図２】
2011183546.tif 000004